(57)【要約】【課題】電池の満充電容量推定値を精度よく算出する電池パックを提供する。【解決手段】電池１１の満充電容量を算出する算出部１２１と、電池１１が所定温度の環境に置かれ所定充電率で繰り返し充放電された場合の電池１１の満充電容量標準劣化推移から所定範囲内に満充電容量がある場合に、該満充電容量を電池１１の満充電容量推定に用いると判定する判定部１２２とを備えて電池パック１を構成する。【選択図】図１
2018119828.tif 000002
【特許請求の範囲】
【請求項１】
電池の満充電容量を算出する算出部と、
前記電池が所定温度の環境に置かれ所定充電率で繰り返し充放電された場合の前記電池の満充電容量標準劣化推移から所定範囲内に前記満充電容量がある場合に、前記満充電容量を前記電池の満充電容量推定に用いると判定する判定部と
を含む、電池パック。
【請求項２】
請求項１に記載の電池パックであって、
前記判定部は、前記満充電容量標準劣化推移において前記電池の使用経過日数に対応する標準満充電容量から所定範囲内に前記満充電容量がある場合に、前記満充電容量を前記満充電容量推定に用いると判定する
電池パック。
【請求項３】
請求項１に記載の電池パックであって、
前記判定部は、前記満充電容量標準劣化推移において前記満充電容量に対応する標準使用経過日数から所定範囲内に前記電池の使用経過日数がある場合に、前記満充電容量を前記満充電容量推定に用いると判定する
電池パック。
【請求項４】
請求項１に記載の電池パックであって、
前記判定部は、前記満充電容量標準劣化推移において前記電池の使用充放電量に対応する標準満充電容量から所定範囲内に前記満充電容量がある場合に、前記満充電容量を前記満充電容量推定に用いると判定する
電池パック。
【請求項５】
請求項１に記載の電池パックであって、
前記判定部は、前記満充電容量標準劣化推移において前記満充電容量に対応する標準使用充放電量から所定範囲内に前記電池の使用充放電量がある場合に、前記満充電容量を前記満充電容量推定に用いると判定する
電池パック。
【請求項６】
請求項１に記載の電池パックであって、
前記判定部は、第１の時点で算出された前記満充電容量と前記第１の時点よりも後の第２の時点で算出された前記満充電容量との容量差が、前記満充電容量標準劣化推移から算出される標準満充電容量差であって、前記第１の時点と前記第２の時点との経過日数差に対応する前記標準満充電容量以内にある場合に、前記第２の時点で算出された前記満充電容量を前記満充電容量推定に用いると判定する
電池パック。
【請求項７】
請求項１に記載の電池パックであって、
前記判定部は、前記満充電容量が算出された第１の時点と前記第１の時点よりも後に前記満充電容量が算出された第２の時点との経過日数差が、前記満充電容量標準劣化推移から算出される標準経過日数差であって、前記第１の時点で算出された前記満充電容量と前記第２の時点で算出された前記満充電容量との容量差に対応する前記標準経過日数差以上にある場合に、前記第２の時点で算出された前記満充電容量を前記満充電容量推定に用いると判定する
電池パック。
【請求項８】
請求項１に記載の電池パックであって、
前記判定部は、第１の時点で算出された前記満充電容量と前記第１の時点よりも後の第２の時点で算出された前記満充電容量との容量差が、前記満充電容量標準劣化推移から算出される標準満充電容量差であって、前記第１の時点での前記電池の使用充放電量と前記第２の時点での前記使用充放電量との充放電量差に対応する前記標準満充電容量差以内にある場合に、前記第２の時点で算出された前記満充電容量を前記満充電容量推定に用いると判定する
電池パック。
【請求項９】
請求項１に記載の電池パックであって、
前記判定部は、前記満充電容量が算出された第１の時点での前記電池の使用充放電量と前記第１の時点よりも後に前記満充電容量が算出された第２の時点での前記使用充放電量との充放電量差が、前記満充電容量標準劣化推移から算出される標準充放電量差であって、前記第１の時点で算出された前記満充電容量と前記第２の時点で算出された前記満充電容量との容量差に対応する前記標準充放電量差以上にある場合に、前記第２の時点で算出された前記満充電容量を前記満充電容量推定に用いると判定する
電池パック。
【請求項１０】
請求項１〜９の何れか一項に記載の電池パックであって、
前記満充電容量を前記満充電容量推定に用いると前記判定部が判定した場合、前記算出部は、前記満充電容量推定に用いると判定された前記満充電容量を今回の満充電容量推定値に設定する
電池パック。
【請求項１１】
請求項１〜９の何れか一項に記載の電池パックであって、
前記満充電容量を前記満充電容量推定に用いると前記判定部が判定した場合、前記算出部は、前記満充電容量推定に用いると判定された前記満充電容量と前回の満充電容量推定値とを所定の重み付けで加算することで今回の満充電容量推定値を算出する
電池パック。
【請求項１２】
請求項１〜１１の何れか一項に記載の電池パックであって、
前記満充電容量を前記満充電容量推定に用いないと前記判定部が判定した場合、前記算出部は、前回の満充電容量推定値を今回の満充電容量推定値に設定する
電池パック。
【発明の詳細な説明】
【技術分野】
【０００１】
本発明は、電池パックに関する。
【背景技術】
【０００２】
二次電池の満充電容量推定値は、充電中の電流積算量を充電前後の充電率（ＳＯＣ（State Of Charge））の差で除算することにより算出される。以下の説明において、二次電池を単に電池と記載することがある。なお、関連する技術として、特許文献１〜３に記載の技術が知られている。
【先行技術文献】
【特許文献】
【０００３】
【特許文献１】特開２０１２−１８５１２４号公報
【特許文献２】特開２０１３−０９６７５２号公報
【特許文献３】特開２０１３−２５００７１号公報
【発明の概要】
【発明が解決しようとする課題】
【０００４】
しかしながら、充電時間が短く充電前後の充電率の差が小さい場合や、積算される電流値の測定誤差が大きい場合等、満充電容量推定値を精度よく算出できない場合がある。
本発明の一側面に係る目的は、電池の満充電容量推定値を精度よく算出する電池パックを提供することである。
【課題を解決するための手段】
【０００５】
本発明に係る一つの形態である電池パックは、算出部及び判定部を含む。算出部は電池の満充電容量を算出する。判定部は、電池が所定温度の環境に置かれ所定充電率で繰り返し充放電された場合の電池の満充電容量標準劣化推移から所定範囲内に満充電容量がある場合に、該満充電容量を電池の満充電容量推定に用いると判定する。
【発明の効果】
【０００６】
一実施形態に従った電池パックによれば、電池の満充電容量推定値を精度よく算出することができる。
【図面の簡単な説明】
【０００７】
【図１】実施形態に従った電池パックの構成例を示す図である。
【図２】満充電容量標準劣化推移及び所定範囲の一例を示す図である。
【図３】満充電容量差と経過日数差又は充放電量差との例示的な関係を示す図である。
【発明を実施するための形態】
【０００８】
以下、図面に基づいて実施形態について詳細を説明する。
図１は、実施形態に従った電池パックの構成例を示す図である。電池パック１は実施形態に従った電池パックの一例である。図１に示す一例では、電池パック１は、電池１１、制御部１２、電圧センサ１３、及び電流センサ１４を含む。
【０００９】
電池１１は、電池パック１に含まれる二次電池の一例である。電池１１は、例えば、リチウムイオン電池、ニッケル水素電池、又は電気二重層コンデンサ等である。なお、電池パック１に含まれる電池１１の数は、１つに限らず、複数であってもよい。図１に示すように、電池１１は、充電時に充電器２に接続される。
【００１０】
制御部１２は、電池パック１全体の制御を司る。制御部１２は、算出部１２１、判定部１２２、及び記憶部１２３を含む。算出部１２１及び判定部１２２は、例えば、ＣＰＵ（Central Processing Unit）、マルチコアＣＰＵ、又はプログラマブルディバイス（ＦＰＧＡ（Field Programmable Gate Array）やＰＬＤ（Programmable Logic Device）等）等により構成される。記憶部１２３は、例えば、ＲＡＭ（Random Access Memory）やＲＯＭ(Read Only Memory)等により構成される。
【００１１】
算出部１２１は、充電可能な電池１１の満充電容量を算出する。
例えば、算出部１２１は、電池１１の開回路電圧（Open Circuit Voltage（ＯＣＶ））と充電率との対応関係を示す情報を記憶部１２３から取得して、電池１１の開回路電圧に対応する充電率を求める。具体的には、算出部１２１は、充電開始時の電池１１の開回路電圧ＯＣＶ０に対応する充電開始時の電池１１の充電率ＳＯＣ０を求め、充電終了時の電池１１の開回路電圧ＯＣＶ１に対応する充電終了時の電池１１の充電率ＳＯＣ１を求める。なお、電池１１の開回路電圧は、電圧センサ１３により測定される。
【００１２】
また、算出部１２１は、充電中に電池１１に流れる電流を積算することによって、電池１１の電流積算量ΔＩ［Ａｈ］を求める。なお、充電中に電池１１に流れる電流は、電流センサ１４により検出される。
【００１３】
算出部１２１は、充電開始時の充電率ＳＯＣ０、充電終了時の充電率ＳＯＣ１、及び電流積算量ΔＩから、次の式(1)により電池１１の満充電容量を算出する。
【００１４】
満充電容量＝｛（ΔＩ／（ＳＯＣ０−ＳＯＣ１））×１００        ・・・(1)
判定部１２２は、算出部１１により算出された満充電容量が電池１１の満充電容量標準劣化推移から所定範囲内にあるか否かに従って、該満充電容量を電池１１の満充電容量推定に用いるか否かを判定する。満充電容量標準劣化推移は、電池１１が所定温度の環境に置かれ所定充電率で繰り返し充放電された場合に劣化する標準的な満充電容量の劣化推移である。満充電容量標準劣化推移は、電池パック１に含まれる電池１１と同様の電池を用いた実験やシミュレーション等により予め求められ得る。実験やシミュレーション等での求め方の一例として、電池温度２５［℃］、充電率２０〜８５［％］で繰り返し充放電して使用すると想定した場合に、使用充放電量［Ａｈ］と、満充電容量［Ａｈ］との関係を示すものを満充電容量標準劣化推移とすることが考えられる。また、電池温度２５［℃］、充電率２０〜８５［％］の充放電を一日に所定回数（例えば４回）繰り返して使用すると想定した場合に、使用経過日数［日］と、満充電容量［Ａｈ］との関係を示すものを満充電容量標準劣化推移とすることも考えられる。
【００１５】
算出された満充電容量が満充電容量標準劣化推移から所定範囲内にある場合、判定部１２２は、算出された満充電容量を電池１１の満充電容量推定に用いると判定する。満充電容量を満充電容量推定に用いると判定された場合、算出部１２１は、満充電容量推定に用いると判定された満充電容量を電池１１の今回の（現在の）満充電容量推定値に設定する。或いは、算出部１２１は、満充電容量推定に用いると判定された満充電容量と前回の満充電容量推定値とを所定の重み付けで加算することで今回の満充電容量推定値を算出する。すなわち、算出部１２１は、次の式(2)に示すように今回の満充電容量推定値を算出する。
【００１６】
今回の満充電容量推定値＝｛前回の満充電容量推定値×（１−α）｝＋（満充電容量推定に用いると判定された満充電容量×α）        ・・・(2)
なお、式(2)においてαは重み付け係数である。
【００１７】
一方、算出された満充電容量が満充電容量標準劣化推移から所定範囲外にある場合、判定部１２２は、算出された満充電容量を電池１１の満充電容量推定に用いないと判定する。満充電容量を満充電容量推定に用いないと判定された場合、算出部１２１は、前回の満充電容量推定値を今回の満充電容量推定値に設定する。
【００１８】
このように、算出された満充電容量が満充電容量標準劣化推移から所定範囲内にある場合には、満充電容量の算出精度は高いと判定され、該満充電容量は電池１１の満充電容量推定に用いられる。一方、算出された満充電容量が満充電容量標準劣化推移から所定範囲外にある場合には、満充電容量の算出精度は低いと判定され、該満充電容量は電池１１の満充電容量推定に用いられない。したがって、実施形態に従った電池パックによれば、電池の満充電容量推定値を精度よく算出することができる。
【００１９】
以下において、算出された満充電容量が電池１１の満充電容量標準劣化推移から所定範囲内にあるか否かに従って該満充電容量を電池１１の満充電容量推定に用いるか否かを判定する方法の具体例を説明する。
＜実施例１＞
図２は、満充電容量標準劣化推移及び所定範囲の一例を示す図である。
【００２０】
図２に示した一例では、電池１１が所定温度の環境に置かれ所定充電率で繰り返し充放電された場合に使用経過日数の増加と共に低下する満充電容量の推移が満充電容量標準劣化推移として表されている。電池１１の使用経過日数とは、電池１１の使用が開始されてからの経過日数を指す。なお、以下の説明では、電池パック１に含まれる電池１１の実際の使用経過日数と区別するために、満充電容量標準劣化推移における使用経過日数を標準使用経過日数と便宜的に呼ぶことがある。また、算出部１１により算出された満充電容量と区別するために、満充電容量標準劣化推移における満充電容量を標準満充電容量と便宜的に呼ぶことがある。
【００２１】
また、図２に示した一例では、満充電容量標準劣化推移での標準満充電容量よりも約５％高い使用許容上限と、満充電容量標準劣化推移での標準満充電容量よりも約５％低い使用許容下限との間が所定範囲として表されている。すなわち、当該標準使用経過日数に対応する標準満充電容量から上下約５％以内が所定範囲として表されている。なお、所定範囲は、図２に示した一例に限らず、標準満充電容量から任意の乖離率で設定されてよい。また、所定範囲は、当該標準満充電容量に対応する標準使用経過日数から前後所定の乖離率の範囲によって表されてもよい。
【００２２】
記憶部１２３は、図２（Ａ）に示したような関数で表される満充電容量標準劣化推移及び所定範囲を記憶してもよい。また、記憶部１２３は、図２（Ｂ）に示したようなテーブルで表される満充電容量標準劣化推移及び所定範囲を記憶してもよい。判定部１２２は、記憶部１２３に記憶された満充電容量標準劣化推移及び所定範囲を用いて以下のような判定を行う。
【００２３】
判定部１２２は、満充電容量標準劣化推移において電池１１の使用経過日数に対応する標準満充電容量を求める。そして、判定部１２２は、求めた標準満充電容量から所定範囲内に算出部１２１により算出された満充電容量がある場合に、該満充電容量を満充電容量推定に用いると判定する。電池１１の使用経過日数は、電池１１に通電され電池１１が初めて充電された時からの日数を判定部１２２がカウントすることにより取得されてもよい。
【００２４】
例えば、電池１１の使用経過日数が１９００日である場合、図２（Ａ）の矢印Ａで示される所定範囲内に、算出部１２１により算出された満充電容量があれば、判定部１２２は該満充電容量を満充電容量推定に用いると判定する。一方、矢印Ａで示される所定範囲外に、算出部１２１により算出された満充電容量があれば、判定部１２２は該満充電容量を満充電容量推定に用いないと判定する。
【００２５】
或いは、判定部１２２は、満充電容量標準劣化推移において、算出部１２１により算出された満充電容量に対応する標準使用経過日数を求める。そして、判定部１２２は、求めた標準使用経過日数から所定範囲内に電池１１の使用経過日数がある場合に、算出部１２１により算出された満充電容量を満充電容量推定に用いると判定する。
【００２６】
例えば、算出部１２１により算出された満充電容量が３５Ａｈである場合、図２（Ａ）の矢印Ｂで示される所定範囲内に電池１１の使用経過日数があれば、判定部１２２は、算出部１２１により算出された満充電容量を満充電容量推定に用いると判定する。一方、矢印Ｂで示される所定範囲外に電池１１の使用経過日数があれば、判定部１２２は、算出部１２１により算出された満充電容量を満充電容量推定に用いないと判定する。
【００２７】
上述したような判定により、算出された満充電容量が満充電容量標準劣化推移から所定範囲内にある場合には、満充電容量の算出精度は高いと判定され、該満充電容量は電池１１の満充電容量推定に用いられる。一方、算出された満充電容量が満充電容量標準劣化推移から所定範囲外にある場合には、満充電容量の算出精度は低いと判定され、該満充電容量は電池１１の満充電容量推定に用いられない。したがって、実施形態に従った電池パックによれば、電池の満充電容量推定値を精度よく算出することができる。
【００２８】
なお、図２に示す一例と異なり、或いは図２に示す一例に加えて、電池１１が所定温度の環境に置かれ所定充電率で繰り返し充放電された場合に電池１１の使用充放電量の増加と共に低下する満充電容量の推移が満充電容量標準劣化推移として表されてもよい。こうした満充電容量標準劣化推移では、例えば、図２（Ａ）に示すようなグラフの横軸は、使用経過日数に代えて使用充放電量になる。電池１１の使用充放電量とは、電池１１の使用が開始されてからの充放電積算量を指す。以下の説明では、電池１１の実際の使用充放電量と区別するために、満充電容量標準劣化推移における使用充放電量を標準使用充放電量と便宜的に呼ぶことがある。
【００２９】
また、図２に示した一例と異なり、或いは図２に示す一例に加えて、当該使用充放電量に対応する標準満充電容量から上下所定の乖離率（例えば、５％）以内が所定範囲として表されてもよい。また、所定範囲は、当該標準満充電容量に対応する標準使用充放電量から前後所定の乖離率の範囲によって表されてもよい。
【００３０】
判定部１２２は、上述のような満充電容量標準劣化推移及び所定範囲を用いて以下のような判定を行ってもよい。
判定部１２２は、満充電容量標準劣化推移において電池１１の使用充放電量に対応する標準満充電容量を求める。そして、求めた標準満充電容量から所定範囲内に、算出部１２１により算出された満充電容量がある場合に、判定部１２２は該満充電容量を満充電容量推定に用いると判定する。電池１１の使用充放電量は、電池１１が初めて充電された時から電池１１に充放電される電流値の積算量を判定部１２２が加算することにより取得されてもよい。電池１１に充放電される電流値は、電流センサ１４により測定されてもよい。
【００３１】
或いは、判定部１２２は、満充電容量標準劣化推移において、算出部１２１により算出された満充電容量に対応する標準使用充放電量を求める。そして、求めた標準使用充放電量から所定範囲内に電池１１の使用充放電量がある場合に、判定部１２２は、算出部１２１により算出された満充電容量を満充電容量推定に用いると判定する。
【００３２】
図２に示した一例とは異なる上述のような判定においても、算出された満充電容量が満充電容量標準劣化推移から所定範囲内にある場合には、満充電容量の算出精度は高いと判定され、該満充電容量は電池１１の満充電容量推定に用いられる。一方、算出された満充電容量が満充電容量標準劣化推移から所定範囲外にある場合には、満充電容量の算出精度は低いと判定され、該満充電容量は電池１１の満充電容量推定に用いられない。したがって、実施形態に従った電池パックによれば、電池の満充電容量推定値を精度よく算出することができる。
【００３３】
＜実施例２＞
図３は、満充電容量差と経過日数差又は充放電量差との例示的な関係を示す図である。具体的には、図３（Ａ）は、満充電容量差と経過日数差との例示的な関係を示すテーブルであり、図３（Ｂ）は、満充電容量差と充放電量差との例示的な関係を示すテーブルである。図３（Ａ）に示すような満充電容量差と経過日数差との関係は、例えば、図２に示すような満充電容量標準劣化推移から算出されてもよい。同様に、図３（Ｂ）に示すような満充電容量差と充放電量差と関係は、満充電容量標準劣化推移から算出されてもよい。
【００３４】
満充電容量差とは、第１の時点での満充電容量と、第１の時点よりも後の第２の時点での満充電容量との容量差を指す。以下の説明では、算出部１１により算出された満充電容量差と区別するために、満充電容量標準劣化推移における満充電容量差を標準満充電容量差と便宜的に呼ぶことがある。
【００３５】
経過日数差とは、満充電容量が算出された第１の時点と、第１の時点よりも後に満充電容量が算出された第２の時点との日数差を指す。以下の説明では、電池パック１に含まれる電池１１の実際の経過日数差と区別するために、満充電容量標準劣化推移における経過日数差を標準経過日数差と便宜的に呼ぶことがある。
【００３６】
充放電量差とは、第１の時点での電池１１の使用充放電量と、第１の時点よりも後の第２の時点での電池１１の使用充放電量との充放電量差を指す。以下の説明では、電池１１の実際の充放電量差と区別するために、満充電容量標準劣化推移における充放電量差を標準充放電量差と便宜的に呼ぶことがある。
【００３７】
記憶部１２３は、図３（Ａ）及び（Ｂ）に示したようなテーブルの内の少なくとも一方を記憶してもよい。また、記憶部１２３は、満充電容量差と経過日数差との関係が表された関数、及び満充電容量差と充放電量差との関係が表された関数の内の少なくとも一方を記憶してもよい。
【００３８】
判定部１２２は、満充電容量差と経過日数差との関係（例えば、図３（Ａ））を用いて以下のような判定を行う。
判定部１２２は、第１の時点で算出された満充電容量と第２の時点で算出された満充電容量との容量差を求める。そして、求めた容量差が、第１の時点と第２の時点との経過日数差に対応する標準満充電容量差以内にある場合に、判定部１２２は、第２の時点で算出された満充電容量を満充電容量推定に用いると判定する。
【００３９】
例えば、算出部１２１により第１の時点で算出された満充電容量が４２Ａｈであり、算出部１２１により第２の時点１９００日で算出された満充電容量が３５Ａｈである場合、判定部１２２は容量差７Ａｈ（４２Ａｈ−３５Ａｈ）を求める。また、判定部１２２は、第１の時点と第２の時点との経過日数差を求める。判定部１２２は、図３（Ａ）に示すテーブルを用いて次のように判定する。
【００４０】
すなわち、例えば、第１の時点が８００日である場合には、求めた容量差７Ａｈは、求めた経過日数差１１００日（１９００日−８００日）に対応する標準満充電容量差７Ａｈ以内にある。そこで、判定部１２２は、第２の時点で算出された満充電容量３５Ａｈを満充電容量推定に用いると判定する。一方、例えば、第１の時点が１５３５日である場合には、求めた容量差７Ａｈは、求めた経過日数差３６５日（１９００日−１５３５日）に対応する標準満充電容量差３Ａｈを超える。そこで、判定部１２２は、第２の時点で算出された満充電容量３５Ａｈを満充電容量推定に用いないと判定する。
【００４１】
或いは、判定部１２２は、満充電容量が算出された第１の時点と第１の時点よりも後に満充電容量が算出された第２の時点との経過日数差を求める。そして、求めた経過日数差が、第１の時点で算出された満充電容量と第２の時点で算出された満充電容量との容量差に対応する標準経過日数差以上にある場合に、判定部１２２は、第２の時点で算出された満充電容量を満充電容量推定に用いると判定する。
【００４２】
例えば、第１の時点が３６５日であり、第２の時点が１９００日である場合、判定部１２２は経過日数差１５３５日（１９００日−３６５日）を求める。また、判定部１２２は、第１の時点で算出された満充電容量と第２の時点で算出された満充電容量３５Ａｈとの容量差を求める。判定部１２２は、図３（Ａ）に示すテーブルを用いて次のように判定する。
【００４３】
すなわち、例えば、第１の時点で算出された満充電容量が４２Ａｈである場合には、求めた経過日数差１５３５日は、求めた容量差７Ａｈ（４２Ａｈ−３５Ａｈ）に対応する標準経過日数差１１００日以上にある。そこで、判定部１２２は、第２の時点で算出された満充電容量３６Ａｈを満充電容量推定に用いると判定する。一方、例えば、第１の時点で算出された満充電容量が４５Ａｈである場合には、求めた経過日数差１５３５日は、求めた容量差１０Ａｈ（４５Ａｈ−３５Ａｈ）に対応する標準経過日数差１９００日未満にある。そこで、判定部１２２は、第２の時点で算出された満充電容量３５Ａｈを満充電容量推定に用いないと判定する。
【００４４】
上述したような判定により、算出された満充電容量が満充電容量標準劣化推移から所定範囲内にある場合には、満充電容量の算出精度は高いと判定され、該満充電容量は電池１１の満充電容量推定に用いられる。一方、算出された満充電容量が満充電容量標準劣化推移から所定範囲外にある場合には、満充電容量の算出精度は低いと判定され、該満充電容量は電池１１の満充電容量推定に用いられない。したがって、実施形態に従った電池パックによれば、電池の満充電容量推定値を精度よく算出することができる。
【００４５】
また、判定部１２２は、満充電容量差と充放電量差との関係（例えば、図３（Ｂ））を用いて以下のような判定を行う。
判定部１２２は、第１の時点で算出された満充電容量と第２の時点で算出された満充電容量との容量差を求める。そして、求めた容量差が、第１の時点での電池１１の使用充放電量と第２の時点での電池１１の使用充放電量との充放電量差に対応する標準満充電容量差以内にある場合に、判定部１２２は、第２の時点で算出された満充電容量を満充電容量推定に用いると判定する。
【００４６】
例えば、算出部１２１により第１の時点で算出された満充電容量が４２Ａｈであり、算出部１２１により第２の時点で算出された満充電容量が３５Ａｈである場合、判定部１２２は容量差７Ａｈ（４２Ａｈ−３５Ａｈ）を求める。また、判定部１２２は、第１の時点での使用充放電量と第２の時点での使用充放電量３８０００Ａｈとの充放電量差を求める。判定部１２２は、図３（Ｂ）に示すテーブルを用いて次のように判定する。
【００４７】
すなわち、例えば、第１の時点での使用充放電量が１６０００Ａｈである場合には、求めた容量差７Ａｈは、求めた充放電量差２２０００Ａｈ（３８０００Ａｈ−１６０００Ａｈ）に対応する標準満充電容量差７Ａｈ以内にある。そこで、判定部１２２は、第２の時点で算出された満充電容量３５Ａｈを満充電容量推定に用いると判定する。一方、例えば、第１の時点での使用充放電量が３０７００Ａｈである場合には、求めた容量差７Ａｈは、求めた充放電量差７３００Ａｈ（３８０００Ａｈ−３０７００Ａｈ）に対応する標準満充電容量差３Ａｈを超える。そこで、判定部１２２は、第２の時点で算出された満充電容量３５Ａｈを満充電容量推定に用いないと判定する。
【００４８】
或いは、判定部１２２は、満充電容量が算出された第１の時点での電池１１の使用充放電量と第１の時点よりも後に満充電容量が算出された第２の時点での使用充放電量との充放電量差を求める。そして、求めた充放電量差が、第１の時点で算出された満充電容量と第２の時点で算出された満充電容量との容量差に対応する標準充放電量差以上にある場合に、判定部１２２は、第２の時点で算出された満充電容量を満充電容量推定に用いると判定する。
【００４９】
例えば、第１の時点での使用充放電量が７３００Ａｈであり、第２の時点での使用充放電量が３８０００Ａｈである場合、判定部１２２は充放電量差３０７００Ａｈ（３８０００Ａｈ−７３００Ａｈ）を求める。また、判定部１２２は、第１の時点で算出された満充電容量と第２の時点で算出された満充電容量３５Ａｈとの容量差を求める。判定部１２２は、図３（Ｂ）に示すテーブルを用いて次のように判定する。
【００５０】
すなわち、例えば、第１の時点で算出された満充電容量が４２Ａｈである場合には、求めた充放電量差３０７００Ａｈは、求めた容量差７Ａｈ（４２Ａｈ−３５Ａｈ）に対応する標準経過日数差２２０００Ａｈ以上にある。そこで、判定部１２２は、第２の時点で算出された満充電容量３６Ａｈを満充電容量推定に用いると判定する。一方、例えば、第１の時点で算出された満充電容量が４５Ａｈである場合には、求めた充放電量差３０７００Ａｈは、求めた容量差１０Ａｈ（４５Ａｈ−３５Ａｈ）に対応する充放電量差３８０００Ａｈ未満にある。そこで、判定部１２２は、第２の時点で算出された満充電容量３５Ａｈを満充電容量推定に用いないと判定する。
【００５１】
上述したような判定により、算出された満充電容量が満充電容量標準劣化推移から所定範囲内にある場合には、満充電容量の算出精度は高いと判定され、該満充電容量は電池１１の満充電容量推定に用いられる。一方、算出された満充電容量が満充電容量標準劣化推移から所定範囲外にある場合には、満充電容量の算出精度は低いと判定され、該満充電容量は電池１１の満充電容量推定に用いられない。したがって、実施形態に従った電池パックによれば、電池の満充電容量推定値を精度よく算出することができる。
【００５２】
本発明は、以上の実施の形態に限定されるものでなく、本発明の要旨を逸脱しない範囲内で種々の改良、変更が可能である。
例えば、満充電容量標準劣化推移や、満充電容量差と経過日数差又は充放電量差との関係は、電池１１の実際の温度に応じて補正されてもよい。具体的には、満充電容量標準劣化推移における所定温度よりも電池１１の実際の温度が高い場合には、電池１１の満充電容量の劣化はより早く進む。そこで、所定温度における満充電容量標準劣化推移よりも早く標準満電容量が低下するように、満充電容量標準劣化推移は補正されてもよい。そして、満充電容量標準劣化推移の補正に応じて、満充電容量差と経過日数差又は充放電量差との関係も補正されてもよい。
【００５３】
また、例えば、実施形態に従った電池パックは、上述した実施例１及び実施例２を組み合わせて実施するように構成されてもよい。
【符号の説明】
【００５４】
１    電池パック
２    充電器
１１    電池
１２    制御部
１３    電圧センサ
１４    電流センサ
１２１    算出部
１２２    判定部
１２３    記憶部
【図１】
2018119828.tif 000003
【図２】
2018119828.tif 000004
【図３】
2018119828.tif 000005